(57)【特許請求の範囲】
【請求項１】
電気的特性を測定する測定器に接続されて先端側を測定対象物に接触させる導電性で略棒状の探針と、該探針の後端側を覆って支持する絶縁性で棒状の把持部と、筒状に形成されていて該探針の軸線方向に移動自在に該把持部に嵌められると共に、その筒状の先端が該探針を外界に突出可能に該探針よりも僅かに大径に形成されている絶縁性の探針カバーとを有しており、
該探針カバーおよび該把持部が互いに係合して、該第一の規定値の長さで該探針カバーから該探針を外界に突出させる第一の位置、該第一の規定値の長さよりも短い第二の規定値の長さで該探針カバーから該探針を外界に突出させる第二の位置、および、該探針カバーから該探針を外界に突出させずに該探針カバーの内部に収容する第三の位置の各位置で該把持部に該探針カバーを位置決めする位置決め機構を有し、
該位置決め機構として、該探針カバーがその筒状の内壁に凸部を有すると共に、該把持部が該第一、第二および第三の各位置で該凸部を係止する第一、第二および第三の係止部を有していて、
該探針カバーの筒状の壁部にＵ字型にスリットが形成されており、該スリットで区画されて形成された板ばねの自由端部に前記凸部が形成されていることを特徴とする測定用プローブ。
【請求項２】
前記スリットのＵ字型の平行し合う部分が、前記探針の軸線方向に沿う向きで形成されていることを特徴とする請求項１に記載の測定用プローブ。
【請求項３】
前記第一、第二および第三の係止部として、前記把持部の表面に前記凸部が嵌合可能に形成された第一、第二および第三の凹部が形成されていることを特徴とする請求項１または２に記載の測定用プローブ。
【請求項４】
前記把持部には、前記凸部が摺動自在に嵌って前記軸線方向への移動をガイドするガイド溝が形成されており、前記第一から第三の凹部が、該ガイド溝の溝底に形成されていることを特徴とする請求項３に記載の測定用プローブ。
【請求項５】
前記把持部には、前記凸部が摺動自在に嵌って前記軸線方向への移動をガイドするガイド溝が形成されており、前記第一、第二および第三の係止部として、該ガイド溝から前記軸線方向に直交する方向に延伸されて該凸部が嵌る第一、第二および第三の枝溝が形成されていることを特徴とする請求項１または２に記載の測定用プローブ。
【請求項６】
前記探針カバーが、前記筒状の壁部の一部に孔開けされた表示窓を有しており、前記第一の位置に該探針カバーが位置決めされた状態で該表示窓から視認可能な該把持部の表面に、前記第一の規定値の長さで外界に突出した該探針および前記測定器を用いて測定可能な安全規格上の区分を示す第一の表示が付されており、前記第二の位置に該探針カバーが位置決めされた状態で該表示窓から視認可能な該把持部の表面に、前記第二の規定値の長さで外界に突出した該探針および該測定器を用いて測定可能な安全規格上の区分を示す第二の表示が付されていることを特徴とする請求項１から５のいずれかに記載の測定用プローブ。
【請求項７】
前記第一および第二の表示には、さらに前記測定器の測定可能な定格電圧を表す表示が含まれていることを特徴とする請求項６に記載の測定用プローブ。
【発明の詳細な説明】
【技術分野】
【０００１】
本発明は、電気的特性を測定する測定器に接続される測定用プローブに関するものである。
【背景技術】
【０００２】
携帯型テスター（回路計）などの測定器に繋がる測定用プローブを、測定対象体に接触させて、電圧等の電気的特性の測定をすることが従来から行われている。例えば、特許文献１には、携帯型テスターに接続される接触型の一対のテストプローブ（測定用プローブ）が記載されている。
【０００３】
特許文献１に記載された測定用プローブは、測定対象物に接触させる探針がグリップ（把持部）から突出して構成されている。
【０００４】
このような測定用プローブには、接触させた測定対象物から、意図しない高い過渡電圧（スパイク電圧）が掛る場合がある。この掛りうる過渡電圧の高低は、測定を行う環境によって異なる。このような高い過渡電圧が掛っても安全に測定を行えるように、世界標準の安全規格であるＩＥＣ（International Electrotechnical Commission：国際電気標準会議）規格では、使用する環境に応じた測定用プローブの構造を規定している。
【０００５】
ＩＥＣ ６１０１０規格では、掛りうる過渡電圧の低いほうから高い順に、使用する環境をＩ〜IVのカテゴリー（ＣＡＴ）に区分けしており、測定用プローブの把持部から探針が突出する長さを、ＣＡＴ IIでは１９ｍｍ以下、ＣＡＴ III，IVでは４ｍｍ以下に制限している。
【０００６】
常に、４ｍｍの短い探針の測定用プローブを用いて測定を行うと、測定器が対応さえしていればＣＡＴ Ｉ〜IVの全ての環境下で測定を安全に行うことができる。しかしながら、ＣＡＴ IIまでの環境下で測定を行う場合、１９ｍｍまでの長い探針での測定が許容されているので、長い探針に比べて短い探針の測定用プローブを用いると測定対象物に接触しづらく測定に不便である。特に、商用電源コンセントの電極のように測定対象物が穴の奥にある場合、短い探針では接触させることが困難である。
【０００７】
このため、ＣＡＴ II以下に対応する長い探針の測定用プローブ、およびＣＡＴ III以上に対応する短い探針の測定用プローブの２種の測定用プローブを常備して、測定環境に合わせて使用する測定用プローブを交換することも考えられる。しかしながら、２種の測定用プローブを常備して持ち運ぶのは不便である。また、長い探針の測定用プローブを持ち運ぶと破損が生じやすい。
【先行技術文献】
【特許文献】
【０００８】
【特許文献１】特開平１０−２３９３５０号公報
【発明の概要】
【発明が解決しようとする課題】
【０００９】
本発明は前記の課題を解決するためになされたもので、探針の長さを２種の長さに簡便に変更することができ、さらに探針の破損を防止することができる測定用プローブを提供することを目的とする。
【課題を解決するための手段】
【００１０】
前記の目的を達成するためになされた、特許請求の範囲の請求項１に記載された測定用プローブは、電気的特性を測定する測定器に接続されて先端側を測定対象物に接触させる導電性で略棒状の探針と、該探針の後端側を覆って支持する絶縁性で棒状の把持部と、筒状に形成されていて該探針の軸線方向に移動自在に該把持部に嵌められると共に、その筒状の先端が該探針を外界に突出可能に該探針よりも僅かに大径に形成されている絶縁性の探針カバーとを有しており、該探針カバーおよび該把持部が互いに係合して、該第一の規定値の長さで該探針カバーから該探針を外界に突出させる第一の位置、該第一の規定値の長さよりも短い第二の規定値の長さで該探針カバーから該探針を外界に突出させる第二の位置、および、該探針カバーから該探針を外界に突出させずに該探針カバーの内部に収容する第三の位置の各位置で該把持部に該探針カバーを位置決めする位置決め機構を有し、該位置決め機構として、該探針カバーがその筒状の内壁に凸部を有すると共に、該把持部が該第一、第二および第三の各位置で該凸部を係止する第一、第二および第三の係止部を有していて、該探針カバーの筒状の壁部にＵ字型にスリットが形成されており、該スリットで区画されて形成された板ばねの自由端部に前記凸部が形成されていることを特徴とする。
【００１１】
請求項２に記載の測定用プローブは、請求項１に記載されたもので、前記スリットのＵ字型の平行し合う部分が、前記探針の軸線方向に沿う向きで形成されていることを特徴とする。
【００１２】
請求項３に記載の測定用プローブは、請求項１または２に記載されたもので、前記第一、第二および第三の係止部として、前記把持部の表面に前記凸部が嵌合可能に形成された第一、第二および第三の凹部が形成されていることを特徴とする。
【００１３】
請求項４に記載の測定用プローブは、請求項３に記載されたもので、前記把持部には、前記凸部が摺動自在に嵌って前記軸線方向への移動をガイドするガイド溝が形成されており、前記第一から第三の凹部が、該ガイド溝の溝底に形成されていることを特徴とする。
【００１４】
請求項５に記載の測定用プローブは、請求項１または２に記載されたもので、前記把持部には、前記凸部が摺動自在に嵌って前記軸線方向への移動をガイドするガイド溝が形成されており、前記第一、第二および第三の係止部として、該ガイド溝から前記軸線方向に直交する方向に延伸されて該凸部が嵌る第一、第二および第三の枝溝が形成されていることを特徴とする。
【００１６】
請求項６に記載の測定用プローブは、請求項１から５のいずれかに記載されたもので、前記探針カバーが、前記筒状の壁部の一部に孔開けされた表示窓を有しており、前記第一の位置に該探針カバーが位置決めされた状態で該表示窓から視認可能な該把持部の表面に、前記第一の規定値の長さで外界に突出した該探針および前記測定器を用いて測定可能な安全規格上の区分を示す第一の表示が付されており、前記第二の位置に該探針カバーが位置決めされた状態で該表示窓から視認可能な該把持部の表面に、前記第二の規定値の長さで外界に突出した該探針および該測定器を用いて測定可能な安全規格上の区分を示す第二の表示が付されていることを特徴とする。
【００１７】
請求項７に記載の測定用プローブは、請求項６に記載されたもので、前記第一および第二の表示には、さらに前記測定器の測定可能な定格電圧を表す表示が含まれていることを特徴とする。
【発明の効果】
【００１８】
本発明の測定用プローブによれば、第一〜第三の位置で探針カバーが把持部に位置決めされて、第一若しくは第二の規定値の長さで探針を外界に突出させ、または探針カバー内に探針を収容することにより、例えば、第一の規定値を１９ｍｍとすることで、通常状態ではＩＥＣ６１０１０規格のＣＡＴ IIに準拠した測定用プローブとして使用することができ、また、第二の規定値を４ｍｍとすることで、同規格のＣＡＴ III,IVに準拠した測定用プローブとして使用することもできる。第一および第二の規定値は、適応する他の安全規格等に合わせて適宜変更してもよい。このように、一本の測定用プローブで安全規格の複数のカテゴリー（区分）に対応して測定を行うことができるので、複数種の測定用プローブを常備する必要がなく、測定に便利で、しかも安全である。さらに、探針カバー内に探針が収容されるので、搬送などの際の探針の破損を防止することができる。
【００１９】
本発明の測定用プローブによれば、探針カバーがその筒状の内壁に凸部を有すると共に、把持部が凸部と嵌合する凹部または枝溝等の係止部を有する構成とすることにより、簡便な構造でありながら探針カバーを第一〜第三の位置に確実に位置決めすることができる。
【００２０】
本発明の測定用プローブによれば、把持部には、凸部が摺動自在に嵌って軸線方向への移動をガイドするガイド溝が形成されていることにより、凸部の位置を凹部等の係止部の位置に確実に合わせることができると共に、把持部から探針カバーが外れない。
【００２１】
本発明の測定用プローブによれば、探針カバーに板ばねを形成してそこに凸部を形成することにより、凸部がばね性を有するため、把持部に確実に探針カバーを位置決め固定でき、不用意に探針カバーが動くことを防止できる。また、測定用プローブを組み立てる際に、探針カバーを把持部に嵌め込みやすい。
【００２２】
本発明の測定用プローブによれば、探針カバーの表示用窓から、探針の突出する長さに合わせた安全規格上の区分の表示が視認できるので、誤った環境下等での測定を防止することができる。また、測定器の定格電圧も表示することで、測定器の破損等を防止することができる。
【図面の簡単な説明】
【００２３】
【図１】本発明を適用する測定用プローブを示す斜視図である。
【図２】本発明を適用する測定用プローブの探針および把持部を示す一部拡大正面図（ａ）および一部拡大側面図（ｂ）である。
【図３】本発明を適用する測定用プローブの使用状態を示す一部拡大正面図（ａ）、そのＧ−Ｇ線断面図（ｂ）、および一部拡大側面図（ｃ）である。
【図４】本発明を適用する測定用プローブの他の使用状態を示す一部拡大正面図（ａ）および一部拡大側面図（ｂ）である。
【図５】本発明を適用する測定用プローブの他の使用状態を示す一部拡大正面図（ａ）および一部拡大側面図（ｂ）である。
【図６】本発明を適用する測定用プローブの把持部の他の例を示す一部拡大正面図である。
【図７】本発明を適用する測定用プローブの把持部の他の例（ａ）（ｂ）を示す一部拡大正面図である。
【発明を実施するための形態】
【００２４】
以下、本発明の実施形態を詳細に説明するが、本発明の範囲はこれらの実施形態に限定されるものではない。
【００２５】
本発明の測定用プローブを、図面を参照して説明する。
【００２６】
図１に示す測定用プローブ１は、探針２、把持部３、探針カバー４、および絶縁電線５を有して構成されている。この測定用プローブ１は、一対で用いられて、電気的特性を測定する非図示の測定器に各々の絶縁電線５が接続されて使用されるものである。
【００２７】
測定用プローブ１の先端側（図の左側）に突出する探針２は、導電性を有していて、測定対象物に接触させるものである。探針２の後端側（非図示）は、把持部３の中で絶縁電線５に電気的に接続されている。絶縁電線５の非図示側の端部には、測定器に接続するためのコネクタが付されていてもよく、直接測定器が接続されていてもよい。
【００２８】
この測定用プローブ１は、図３（ａ）に示すように探針カバー４を第一の位置に移動させることで第一の規定値Ａの長さで探針２を外界に突出させ、図４（ａ）に示すように探針カバー４を第二の位置に移動させることで第二の規定値Ｂの長さで探針２を外界に突出させ、図５（ａ）に示すように探針カバー４を第三の位置に移動させることで探針カバー４の内部に探針２を収容するものである。
【００２９】
規定値Ａは、ＩＥＣ６１０１０規格のＣＡＴ IIに準拠させて１９ｍｍまたはそれ以下の長さとする。規定値Ｂは、同規格のＣＡＴ III，IVに準拠させて４ｍｍまたはそれ以下の長さとする。以下、詳細に説明する。
【００３０】
図２に、測定用プローブ１の先端側の構造を、探針カバー４を取り外した状態で図示する。図２（ａ）の正面図に示すように、探針２は、例えば丸棒状に形成された黄銅の表面に、金またはニッケルがめっきされて形成されている。探針２の先端（図の左端）は、測定対象物に接触しやすいように円錐状に尖らせた形状に形成されている。この探針２の後端側は、それよりも太くて握りやすい径の丸棒状の把持部３によって覆われて支持されている。把持部３の先端側（図の左側）を、一例として同図に示すように先端に向けて径を徐々に細くした台形錐状に形成してもよい。探針２の把持部３による支持は、例えばねじ込みや接着など、従来の一般的な測定用プローブと同様にして支持されている。これにより、同図に示すように、探針２は、その軸線Ｘが把持部３の軸線と同軸になるように把持部３の先端から突出して固定されている。把持部３は、正極用に用いるものを赤色で、負極用に用いるものを黒色で形成することが好ましい。
【００３１】
把持部３は、絶縁性の例えばポリ塩化ビニル樹脂によって一体成型されて、内部で探針２および絶縁電線５（図１参照）を固定可能に略円筒状に形成されている。この把持部３には、図２（ａ）に示すように、正面側（図の観察面側）にガイド溝１０、第一の凹部１１（本発明の第一の係止部）、第二の凹部１２（本発明の第二の係止部）、および第三の凹部１３（本発明の第三の係止部）が形成されている。凹部１１〜１３は、ガイド溝１０の溝底に、各々探針２まで貫通しない同じ深さで、各々同径の丸穴で形成されている。これらの丸穴の縁は、緩やかに窪むように曲面状に形成されている。ガイド溝１０は、軸線Ｘ方向に沿って把持部３の所定範囲にわたって形成されていて、後述する凸部２３を軸線Ｘ方向に移動させて凹部１１〜１３に嵌るようにガイドすると共に、凸部２３が所定範囲内で移動するように移動する範囲を規定する溝である。このガイド溝１０、および凹部１１〜１３は、把持部３の裏面側（図の非観察面側）にも同様に形成されている。
【００３２】
また、把持部３には、図２（ｂ）に示すように、その側面に第一の表示である文字表示１５、および第二の表示である文字表示１６が付されている。
【００３３】
探針カバー４は、絶縁性の一例としてポリプロピレンによって一体成型されている。図３（ａ）およびそのＧ−Ｇ線断面図の図３（ｂ）に示すように、探針カバー４は、軸線Ｘ方向に移動自在に把持部３の外壁に嵌るように、把持部３よりも僅かに大径の略円筒状に形成されている。探針カバー４の先端側（図の左側）は、把持部３の先端側の台形錘形状にちょうど嵌るよう先端に向けて径を細くした筒状に形成されている。さらに、探針カバー４の先端には、そこから探針２を外界に突出可能に探針２よりも僅かに大径の先端孔２０が形成されている。図３（ｂ）に示すように、先端孔２０の円筒内側の縁壁が、把持部３の先端と当接するように形成することが好ましい。
【００３４】
図３（ａ）に示すように探針カバー４には、その筒状の壁部にＵ字型のスリット２１が形成されている。このスリット２１のＵ字型の平行し合う部分は、軸線Ｘ方向に沿うように形成されている。また、スリット２１のＵ字型の曲線部分は、一例として探針カバーの先端側を向く方向で形成されている。このスリット２１によって円筒壁が区画されることで、円筒壁部に、樹脂による可撓性によってばね性を有した板ばね２２が形成されている。この板ばね２２の自由端部の内壁には、図３（ｂ）に示すように、なだらかに隆起させた凸部２３が形成されている。これら、スリット２１、板ばね２２、および凸部２３は、探針カバー４の裏面側にも同様に形成されている。
【００３５】
凸部２３は、ガイド溝１０に嵌って、板ばね２２が撓んでその弾性で溝底に押し付けられつつ摺動すると共に、凹部１１〜１３に嵌合可能な大きさで形成されている。凸部２３が凹部１１〜１３に嵌合した際には、板ばね２２は平坦に戻るか、またはやや撓んだ状態となるようになっている。凸部２３と凹部１１〜１３とが本発明の位置決め機構になって、探針カバー４と把持部３とが互いに係合して探針カバー４が第一〜第三の位置に位置決めされる。
【００３６】
凹部１１〜１３の各位置は、凸部２３が嵌合した際に、探針カバー４が前述した第一〜第三の位置となるような位置で把持部３に形成されている。
【００３７】
また、探針カバー４は、図３（ｃ）に示すように、その筒状の壁部の一部に孔開けされた表示窓２４を有している。
【００３８】
図２（ｂ）に示した文字表示１５は、第一の位置に探針カバー４が位置決めされた状態で、表示窓２４から視認可能な把持部３の表面に付されている。また、文字表示１６は、第二の位置に探針カバー４が位置決めされた状態で表示窓２４から視認可能な把持部３の表面に付されている。
【００３９】
文字表示１５は、規定値Ａの長さだけ外界に探針２が突出した測定用プローブ１およびこれと組み合わせて使用される測定器を用いて測定可能なＩＥＣ６１０１０規格上のカテゴリー（区分）と測定器の定格電圧とを示す表示である。文字表示１６は、規定値Ｂの長さだけ外界に探針２が突出した測定用プローブ１および前記の測定器で測定可能な同規格上のカテゴリーと測定器の定格電圧とを示す表示である。例えば、測定器がＣＡＴ IIIに準拠して定格電圧が６００Ｖである場合、同図に示すように、文字表示１５としてカテゴリーを示す「ＣＡＴII」の文字と定格電圧の「６００Ｖ」の文字とを連結して付し、文字表示１６としてカテゴリーを示す「ＣＡＴIII」の文字と、定格電圧の「６００Ｖ」の文字とを連結して付す。文字表示１５，１６として、少なくともカテゴリーを示す表示を付すことが好ましい。
【００４０】
なお、表示窓２４、および文字表示１５，１６は、図の観察面側および非観察面側の２か所に付してもよい。また、表示は例示した文字に限られず、他の文字や記号や絵文字（ピクトグラム）等で表示してもよい。
【００４１】
この文字表示１５，１６は、把持部３の成型用の金型に、表示する文字の型を付しておくことで、成型時に樹脂表面を凸状または凹状に形成して付してもよい。文字表示１５，１６は、凹状に形成したほうがスムーズに探針カバー４を移動させることができるので好ましい。文字表示１５，１６を凸状にして付す場合、探針カバー４がこの凸状に引っ掛からずにスムーズに摺動し合うように、凸状の高さを低く形成することが好ましい。また、文字表示１５，１６は、印刷により付してもよい。
【００４２】
探針カバー４は、その胴部の中央付近に円環凸状に形成された鍔２５を有している。鍔２５は、一例として、表示窓２４近くで、表示窓２４よりも先端側に形成されている。
【００４３】
次に、この測定用プローブ１の使用方法について説明する。
【００４４】
安全規格のＣＡＴ II以下の環境下で測定を行う場合には、図３に示すように、探針カバー４を第一の位置、すなわち前述したように凸部２３が凹部１１に嵌る位置に移動させる。この場合、凸部２３と凹部１１とが嵌合して、探針カバー４が把持部３に位置決めされ、ＣＡＴ IIに準拠した規定値Ａ（１９ｍｍ）だけ探針２が探針カバー４から突出する。
【００４５】
このように探針２が長く突出するので、測定者は、測定対象物（非図示）に探針２を容易に接触させることができる。特に、商用電源コンセントの電極のように穴の奥にある電極にも探針２が届くので、特殊なプローブを用いることなく測定を行うことができる。
【００４６】
この状態で、把持部３の後端側（図の右側）に向けて探針カバー４をさらに移動させようとしても、先端孔２０の縁壁が把持部３の先端に当接しているため、探針カバー４はこれ以上移動しない。したがって、探針２が規定値Ａよりも長く突出しないので、測定用プローブ１がＣＡＴ IIに確実に準拠して、測定者は測定を安全に行うことができる。なお、先端孔２０の縁壁と把持部３の先端とが当接しないような形状に形成されている場合であっても、凹部１１はガイド溝１０の溝底に形成されているので、凹部１１の穴縁よりも高いガイド溝１０の端部の壁に凸部２３が当たるため、それよりも把持部３の後端側に探針カバー４が移動しない。
【００４７】
また、測定者は、鍔２５があるので、それよりも後端側を把持して、探針２を測定対象物に接触させて測定する。したがって、探針２から離れた位置を把持することになるので、測定者が誤って探針２や測定対象物に接触して感電することが防止でき、安全である。
【００４８】
また、測定者は表示窓２４の近くを把持するので、その際に文字表示１５を視認しやすい。このため、測定者は使用可能な安全規格上のカテゴリーや定格電圧を正しく認識できるので、誤った環境下等での測定を防止することができる。
【００４９】
次に、安全規格のＣＡＴ IIIの環境下で測定を行う場合について説明する。
【００５０】
この場合、探針カバー４を把持部３の先端側に指等で動かす。探針カバー４に鍔２５が形成されているため、測定者は鍔２５に指を掛けられるので、探針カバー４を容易に動かすことができる。
【００５１】
この際に、凸部２３がなだらかに隆起して形成されているので、測定者が過度に力を加えることなく適度な力を加えることで凸部２３が凹部１１から抜けだす。さらに、凹部１１を抜け出す時よりも小さな力で、凸部２３がガイド溝１０内をスムーズに摺動して軸線Ｘ方向に沿って先端側に移動する。凸部２３が、凹部１２の位置まで摺動すると、凹部１２に嵌合して引っ掛かる。このため、測定者は、その位置が第二の位置であることがわかり、それ以上探針カバー４を動かすことをやめる。これにより、図４（ａ）に示すように探針２が規定値Ｂ（４ｍｍ）の長さで突出して、安全規格のＣＡＴ IIIに準拠した測定用プローブ１となる。この測定用プローブ１の探針２を測定対象物に接触させて、測定者はＣＡＴ IIIの環境下で安全に測定を行うことができる。
【００５２】
また、図４（ｂ）に示すように、表示窓２４から文字表示１６が視認できるので、測定者はこの表示からＣＡＴ IIIに準拠した環境下で測定が可能になったことを確認することができる。
【００５３】
なお、測定器が安全規格のＣＡＴ IVに対応していれば、この状態の測定用プローブ１を用いてＣＡＴ IVの環境下で測定を安全に行うことができる。また、この測定用プローブ１でＣＡＴ II以下の環境下で測定を行ってもよい。
【００５４】
次に、測定用プローブ１を保管や搬送する場合について説明する。
【００５５】
この場合、図４の状態から探針カバー４を把持部３の先端側にさらに指等で動かす。この際に凸部２３は適度な加力で凹部１２から抜け出して、それよりも弱い加力でガイド溝１０内を摺動して凹部１３に嵌合して、探針カバー４が図５に示す第三の位置に位置決めされる。凹部１３はガイド溝１０の溝底に形成されているので、凹部１３の穴縁よりも高いガイド溝１０の端部の壁に凸部２３が当たるため、それよりも把持部３の先端側に探針カバー４が移動せずに抜け止めされる。
【００５６】
この状態では、同図に示すように、探針２が探針カバー４内に収容されるので、探針２の破損を防止することができる。この場合には、図４（ｂ）に示すように、表示窓２４には何も表示されない。
【００５７】
探針カバー４を第三の位置から第二の位置へ移動させたり、第二の位置から第一の位置に移動させたりすることも前述と同様にして行う。測定者は、探針カバー４を所望の第一〜第三の位置に移動させることができ、その各位置で探針カバー４は把持部３に位置決め固定される。これにより、測定用プローブ１を、ＣＡＴ IIに準拠したものとしたり、ＣＡＴ IIIに準拠したものとしたり、探針２を覆って保護したものとすることができる。
【００５８】
なお、ガイド溝１０および凹部１１〜１３と、凸部２３とを、把持部３および探針カバー４の正面側および裏面側の２か所に形成した方が機械的強度に優れるため好ましいが、いずれか一方だけに形成してもよい。
【００５９】
また、把持部３にガイド溝１０を設けた方が探針カバー４の軸線Ｘ方向への移動がガイドされるので好ましいが、図６に示すように、ガイド溝１０を形成せずに把持部３の表面に凹部１１，１２，１３を形成してもよい。
【００６０】
また、板ばね２２の自由端が探針カバー４の先端部側の方向になるようにスリット２１を形成した例について説明したが、板ばね２２の自由端が後端部側の方向になるようにスリット２１を形成してその自由端に凸部２３を形成してもよい。この場合、ガイド溝１０等の位置は凸部２３の位置に対応した位置に形成する。
【００６１】
また、探針カバー４にスリット２１および板ばね２２を形成して、そこに凸部２３を形成した例について説明したが、探針カバー４にスリット２１等を形成せずに探針カバー４の円筒状の内壁に凸部２３を形成してもよい。この場合、探針カバー４の円筒が樹脂製で可撓性を有して歪むことで、凸部２３がガイド溝１０内を摺動する。
【００６２】
また、表示窓２４および文字表示１５，１６を形成したほうが好ましいが、これらを形成しない構成とすることもできる。
【００６３】
さらに、鍔２５を形成した例について説明したが、鍔２５を形成しない構成とすることもできる。この場合、例えば表示窓２４に測定者が指を掛けて探針カバー４を移動させてもよい。
【００６４】
また、把持部３に換えて、図７（ａ）に示す把持部３ａや図７（ｂ）に示す把持部３ｂを用いることもできる。
【００６５】
図７（ａ）に、測定用プローブの先端側の構造を、探針カバー４を取り外した状態で図示する。把持部３ａには、探針カバー４の凸部２３（図３参照）が摺動自在に嵌ってその軸線Ｘ方向への移動をガイドするガイド溝３０が形成されている。このガイド溝３０には、本発明の第一、第二および第三の係止部として、ガイド溝３０から軸線Ｘに直交する方向に延伸されて凸部２３が嵌る第一の枝溝３１、第二の枝溝３２、および第三の枝溝３３が形成されている。これら溝３０〜３３の平面展開図を同図下側の丸枠内に示す。溝３０〜３３の深さは、凸部２３がちょうど摺動する程度の溝深さで形成されている。ガイド溝３０から枝溝３１〜３３が分岐する位置は、図２（ａ）に示したガイド溝１０の凹部１１〜１３の形成された位置とする。この各溝３０〜３３は、図７（ａ）の裏面側（図の非観察面側）にも形成されている。
【００６６】
この把持部３ａに嵌め込んだ非図示の探針カバー４を回転させて、凸部２３を枝溝３１〜３３に嵌めることで、探針カバー４の軸線Ｘ方向への移動が規制されるため、探針カバー４を第一〜第三の位置に位置決めすることができる。枝溝３１〜３３の長さは、探針カバー４が９０度程度回転する長さで形成することが好ましい。
【００６７】
図７（ｂ）に示す把持部３ｂのガイド溝３０ａは、同図の下側丸枠内に平面展開図で示すように、図７（ａ）に示した直線状のガイド溝３０を、くの字状に折れ曲げた形状で形成したものである。このくの字状の頂部から枝溝３２ａが軸線Ｘに直交する方向で、かつ、くの字状の外側に遠ざかる方向に形成されている。枝溝３１ａ、３３ａはガイド溝３０ａのくの字状の端部から軸線Ｘに直交する方向で、かつ、くの字状から遠ざかる枝溝３２ａと反対方向に形成されている。枝溝３１ａ〜３３ａを形成する軸線Ｘ方向の位置は、図７（ａ）の枝溝３１〜３３を形成した軸線Ｘ方向の位置と同じ位置となるように形成されている。この各溝３０ａ〜３３ａは、図７（ｂ）の裏面側にも形成されている。
【００６８】
この把持部３ｂに嵌め込んだ非図示の探針カバー４は、その凸部２３がくの字状のガイド溝３０ａ内を摺動するので、回転しつつガイド溝３０ａに沿って軸線Ｘ方向に移動する。探針カバー４の凸部２３を枝溝３１ａ〜３３ａに嵌めることで、探針カバー４の軸線Ｘ方向への移動が規制されるため、探針カバー４を第一〜第三の位置に位置決めすることができる。
【００６９】
くの字状にガイド溝３０ａが形成されているので、第一の位置から第二の位置に移動する際の探針カバー４の回転方向と、第二の位置から第三の位置に移動する際の探針カバー４の回転方向とが逆方向になる。したがって、探針カバー４は回転方向が変わる第二の位置で停止するので、測定者は、探針カバー４が第二の位置に来たことを確実に感知することができる。
【００７０】
なお、この把持部３ａ，３ｂを用いる場合には、探針カバー４には、スリット２１および板ばね２２を形成せずに、円筒状の内壁に凸部２３を形成してもよい。また、表示窓２４から文字表示１５，１６が視認可能となるような位置に、表示窓２４および文字表示１５，１６を適宜位置を変更して形成する。
【００７１】
把持部に探針カバーを位置決めする位置決め機構の他の例として、探針カバー４に凸部２３の代りに孔を設け、把持部３に凹部１１，１２，１３の代りにねじ穴を設け、この探針カバーの孔を通して把持部のねじ穴に雄ねじをねじ止めすることで、第一〜第三の位置に探針カバーを位置決めする構成としてもよい。
【符号の説明】
【００７２】
１は測定用プローブ、２は探針、３,３ａ,３ｂは把持部、４は探針カバー、５は絶縁電線、１０はガイド溝、１１は第一の凹部、１２は第二の凹部、１３は第三の凹部、１５は第一の文字表示、１６は第二の文字表示、２０は先端孔、２１はスリット、２２は板ばね、２３は凸部、２４は表示窓、２５は鍔、３０,３０ａはガイド溝、３１,３１ａは第一の枝溝、３２,３２ａは第二の枝溝、３３,３３ａは第三の枝溝、Ａは第一の規定値、Ｂは第二の規定値、Ｘは探針２の軸線である。
【図１】
0005389707.tif 000002
【図２】
0005389707.tif 000003
【図３】
0005389707.tif 000004
【図４】
0005389707.tif 000005
【図５】
0005389707.tif 000006
【図６】
0005389707.tif 000007
【図７】
0005389707.tif 000008